(57)【要約】  本発明は、被運送物を包装した包装材が未開封であることを確認することができる運送方法を提供するものである。具体的には、まず、送り主に、包装材１の封印部５にサイン６を記入してもらう。記入時の筆圧で、サイン６を照合用シート７に複写する。被運送物２を包装材１で包装する。封印部５を封印して届け先に搬送する。封印部５のサイン６と照合用シート７のサイン６とを照合する。両者が一致することを確認して、包装材１が差し替えられていないことを確認する。被運送物２を包装する包装材１が未開封であることを確認する。
2007099682.tif 000002
【特許請求の範囲】
【請求項１】
包装材で被包装物を包装したまま未開封であったことを確認する包装方法であって、
包装材に識別情報を記入すると共に、透光性材料により透視可能に形成した照合用シートに前記識別情報を複写し、次いで、被包装物を前記包装材で包装して該包装材の封印部を封止し、その後、照合用シートを包装材に重ねて、該包装材に記入した識別情報と照合用シートに複写した識別情報とを照合することにより、識別情報を記入した包装材で被包装物を包装したままであることを確認することを特徴とする包装方法。
【請求項２】
送り主から預かった被運送物を届け先に届けると共に、送り主からの引受時から届け先への引渡時までの間、被運送物を包装する包装材が未開封であったことを確認する運送方法であって、
送り主から被運送物を引き受ける際、透光性材料により透視可能に形成した照合用シートに、送り主によって包装材に記入される送り主付与情報を複写し、次いで、被運送物を包装材で包装して該包装材の封印部を封止して届け先に搬送し、届け先に被運送物を引き渡す際、照合用シートを包装材に重ねて、該包装材に記入された送り主付与情報と照合用シートに複写された送り主付与情報とを照合することにより、送り主によって送り主付与情報を記入された包装材で被運送物が包装されたままであることを確認することを特徴とする運送方法。
【請求項３】
送り主控え票、届け先控え票及び運送管理票を複写可能に重ねてなる伝票に、包装材及び照合用シートを重ねて、包装材に記入される送り主付与情報を照合用シートと共に伝票にも複写しておき、照合用シートに複写された送り主付与情報と伝票に複写された送り主付与情報との照合により、照合用シートが差し替えられていないことを確認することを特徴とする請求項２に記載の運送方法。
【請求項４】
伝票に付設された伝票固有情報により、伝票が差し替えられていないことを確認することを特徴とする請求項３に記載の運送方法。
【請求項５】
包装材で包装した被運送物と照合用シートとを別々にして届け先に届けることを特徴とする請求項２、３又は４に記載の運送方法。
【請求項６】
被保管物を収納材に収納して保管する間、前記収納材が未開封であったことを確認する保管方法であって、
収納材に識別情報を記入すると共に、透光性材料により透視可能に形成した照合用シートに前記識別情報を複写し、次いで、被保管物を前記収納材に収納して該収納材の封印部を封止して保管し、その後、照合用シートを収納材に重ねて、該収納材に記入した識別情報と照合用シートに複写した識別情報とを照合することにより、識別情報を記入した収納材に被保管物を収納したままであることを確認することを特徴とする保管方法。
【請求項７】
被包装物を収容する収容部と、該収容部に被包装物を出し入れする出入口と、被包装物を収容した後に前記出入口を封印するよう前記収容部と一体に形成された封印部とを備え、前記被包装物を包装したまま未開封であることを確認する包装材であって、
前記封印部に識別情報を付与可能とされ、封印部と、該封印部に付与されるものと同一の識別情報を付与される照合用シートとが重ねられ、
前記照合用シートは、透光性材料により透視可能に形成され、封印部に重ねることによって識別情報を照合可能とされたことを特徴とする包装材。
【請求項８】
封印部の裏面側に照合用シートが重ねられ、封印部の表面に記入された識別情報を照合用シートに複写可能とされたことを特徴とする請求項７に記載の包装材。
【請求項９】
封印部の裏面側に、封止用の粘着層と、封印部を封止するまで粘着層を覆う剥離紙とが重ねられ、該剥離紙が、前記照合用シートと兼用されることを特徴とする請求項８に記載の包装材。
【請求項１０】
封印部の裏面側に、管理用伝票を重ねることにより、封印部に記入される識別情報が照合用シートと共に前記管理用伝票にも複写されることを特徴とする請求項８又は９に記載の包装材。
【請求項１１】
前記照合用シートは、封印部の裏面側に後付けされたことを特徴とする請求項８に記載の包装材。
【請求項１２】
前記管理用伝票に照合用シートが予め重ねられたことを特徴とする請求項１０に記載の包装材。
【発明の詳細な説明】
【技術分野】
【０００１】
本発明は、運送される包装材や保管されている収納材が未開封であることを確認する包装方法及び包装材に関するものである。
【背景技術】
【０００２】
一般に、相手先に荷物を送る際、郵便小包や宅配便などの運送便を利用することが多い。ただ、特に機密書類や貴重品などを送るために運送便を利用するには、送り主の手を離れてから届け先に届くまでの間、被運送物が未開封であったことの確認が求められる。また、機密書類や貴重品などを収納材に収納して保管する場合にも、その間、収納材が未開封であったことの確認が求められる。これに対して、被運送物などを封印シールで封止することにより、被運送物などが未開封であることを確認可能にすることがある（例えば特許文献１）。
【特許文献１】実用新案登録第３１０７４３８号公報
【発明の開示】
【発明が解決しようとする課題】
【０００３】
ところが、被運送物などを封印シールなどで封印したとしても、第三者によって、一旦開封されて再び別の封印シールなどで封印された場合、その被運送物などが開封されたものであるということを認識することができない。【０００４】
本発明は、運送用の包装材や保管用の収納材などで被包装物を包装したまま未開封であることを確認することができる包装方法、運送方法、保管方法及び包装材の提供を目的とする。
【課題を解決するための手段】
【０００５】
上記目的を達成するため、本発明に係る包装方法は、包装材で被包装物を包装したまま未開封であったことを確認するものである。具体的には、まず、包装材に識別情報を記入すると共に、透光性材料により透視可能に形成した照合用シートに識別情報を複写する。識別情報としては、例えばサインが挙げられ、このサインは、例えば包装材に照合用シート重ね合わせておくことにより、透光性材料により透視可能に形成された照合用シートに複写される。次いで、被包装物を包装材で包装してこの包装材の封印部を封止する。その後、照合用シートを包装材に重ねて、この包装材に記入した識別情報と照合用シートに複写した識別情報とを照合することにより、識別情報を記入した包装材で被包装物を包装したままであることを確認する。【０００６】
この構成によると、透視可能な照合用シートを包装材に重ねて、この包装材に記入した識別情報と照合用シートに複写した識別情報とを照合するので、包装材が別の包装材に差し替えられていないことを簡単かつ正確に確認することができる。【０００７】
ここで、識別情報は、サインや文字、記号、図形、イラストなどどのようなものでもよい。さらに、記入とは、スタンプや印鑑、タイプなどで個別情報を付与することを含む概念であるが、再現性のない手書きのものがより好ましい。識別情報の複写は、複写機などを利用することもできるが、カーボン紙などを利用して筆圧によって複写するようにすれば、その複写を簡単にすることができる。【０００８】
また、本発明は、送り主から預かった被運送物を届け先に届けると共に、送り主からの引受時から届け先への引渡時までの間、被運送物を包装する包装材が未開封であったことを確認する運送方法を提供する。【０００９】
具体的には、まず、送り主から被運送物を引き受ける際、送り主が包装材に送り主付与情報を記入する。送り主付与情報としては、例えば送り主が記入するサインが挙げられる。このサインは、例えば包装材に照合用シート重ね合わせておくことにより、透光性材料により透視可能に形成された照合用シートに複写される。次いで、被運送物を包装材で包装してこの包装材の封印部を封止して届け先に搬送する。届け先に被運送物を引き渡す際、照合用シートを包装材に重ねて、この包装材に記入された送り主付与情報と照合用シートに複写された送り主付与情報とを照合することにより、送り主によって送り主付与情報を記入された包装材で被運送物が包装されたままであることを確認する。【００１０】
この構成によると、上記の包装方法と同様、透視可能な照合用シートを包装材に重ねて、この包装材に記入した送り主付与情報と照合用シートに複写した送り主付与情報とを照合するので、包装材が別の包装材に差し替えられていないことを簡単かつ正確に確認することができる。また、送り主付与情報は、上記の包装方法における識別情報と同様のものであり、記入及びその複写の概念も上記の包装方法におけるものと同じである。【００１１】
一般に運送便では、運送の確認及び管理に、送り主控え票、届け先控え票及び運送管理票を複写可能に重ねてなる伝票を用い、これを被運送物と一緒に運ぶようにしている。その伝票に、包装材及び照合用シートを重ねて、包装材に記入する送り主付与情報を照合用シートと共に伝票にも複写しておくことができる。なお、照合用シートは、伝票あるいは包装材と一体に形成しておくことができる。【００１２】
上記構成によると、照合用シートに複写された送り主付与情報と包装材に複写された送り主付与情報との照合においては、両者が共に差し替えられた場合、開封を見破りにくくなるが、伝票にさらに第３の送り主付与情報を複写しておくことにより、三者の照合になるので、より確実に開封を見破ることができる。【００１３】
伝票の中でも送り主控え票は、被運送物と一緒に運ばれることなく送り主が所持しているので、この送り主控え票に複写した送り主付与情報と照合用シートに複写した送り主付与情報とを照合することにより、照合用シートが差し替えられていないことをより確実なものとすることができる。送り主控え票及び照合用シートに複写された送り主付与情報を照合する手段としては、送り主控え票又はそのコピーを被運送物とは別に届けたり、送り主控え票の画像の電子データを送信したりする手法を例示することができる。【００１４】
また、伝票には、伝票固有情報が付設されていることが多いので、この伝票固有情報により、伝票を識別するようにしてもよい。この場合、送り主から伝えられた送り主控え票の伝票固有情報と、届け先控え票又は運送管理票の伝票固有情報とを照合するだけで、伝票が差し替えられていないことを確認することができる。これにより、送り主控え票と照合用シートとを直接照合することなく、届け先控え票又は運送管理票に複写された送り主付与情報と照合用シートに複写された送り主付与情報とを照合するだけで、照合用シートが差し替えられていないことをより確実なものとすることができる。【００１５】
ここで、伝票固有情報は、目視可能に印刷されたコード番号の他、光を照射したときにのみ視認できる蛍光塗料で記載された固有情報、ＩＣチップやバーコードなどに記録された固有情報などを含む概念である。この伝票固有情報を送り主から伝達してもらう手段としては、電話やファックス、電子メール、書面を例示することができる。この際、送り主付与情報を伝票固有情報と共に送ることができる。【００１６】
包装材及び照合用シートの同時の差し替えを防止するため、包装材で包装した被運送物と照合用シートとを別々にして届け先に届けるようにしてもよい。届け先に照合用シートを届ける手段としては、封筒に入れた照合用シートを別ルートで送る手法を例示することができる。【００１７】
また、本発明は、被保管物を収納材に収納して保管する間、収納材が未開封であったことを確認する保管方法を提供する。具体的には、収納材に識別情報を記入すると共に、透光性材料により透視可能に形成した照合用シートに識別情報を複写する。次いで、被保管物を収納材に収納してこの収納材の封印部を封止して保管する。その後、照合用シートを収納材に重ねて、この収納材に記入した識別情報と照合用シートに複写した識別情報とを照合することにより、識別情報を記入した収納材に被保管物を収納したままであることを確認する。【００１８】
この構成により、上記の包装方法や運送方法と同様、収納材が別の収納材に差し替えられていないことを簡単かつ正確に確認することができる。なお、識別情報や記入及びその複写の概念も上記の包装方法及び運送方法におけるものと同じである。【００１９】
また、本発明は、上記の包装方法、運送方法及び保管方法に使用する包装材を提供する。すなわち、本発明に係る包装材は、被包装物を収容する収容部と、この収容部に被包装物を出し入れする出入口と、被包装物を収容した後に出入口を封印するよう収容部と一体に形成した封印部とを備え、被包装物を包装したまま未開封であることを確認するものであり、封印部に識別情報を付与可能とし、封印部と、この封印部に付与するものと同一の識別情報を付与する照合用シートとを重ね、さらに、照合用シートを透光性材料から透視可能に形成することにより、封印部に重ねて識別情報を照合可能としたものである。【００２０】
封印部と照合用シートとを重ねる順としては、封印部の表面側に照合用シートを重ねるようにしてもよいが、封印部の裏面側に照合用シートを重ねて、封印部の表面に記入した識別情報を照合用シートに複写可能とするのがより好適である。【００２１】
つまり、照合用シートに識別情報を記入して封印部に複写した場合、その照合用シートを別の包装材の封印部に重ねて、正規に記入された識別情報をなぞることにより、別の包装材に識別情報を偽造することができるが、封印部の裏面側に照合用シートを重ねることにより、このような識別情報の偽造を防止することができる。なお、包装材を封止した後は、封印部の裏面側に照合用シートを重ねることができないので、識別情報を偽造することもできない。【００２２】
封印部の裏面側に照合用シートを重ねる構成としては、予め封印部の裏面に照合用シートを取り付けておく構成を例示できる。この構成を封筒状の包装材を例に挙げて具体的に説明すると、封筒状の包装材には、その収容部への出入口を覆うように折り返して貼り付けることによって出入口を封止する蓋部が設けられ、この蓋部が封印部とされる。この封印部としての蓋部の裏面に照合用シートを取り付けておくことにより、封印部の裏面側に照合用シートが重なるので、封印部の表面に記入した識別情報が照合用シートに複写される。【００２３】
また、封印部の裏面側に照合用シートを重ねる別の構成として、封印部に識別情報を記入する際に封印部の裏面側に照合用シートが重なるように、封印部を貼り付ける部位に照合用シートを取り付けておく構成も採用可能である。この構成を前述の封筒状の包装材を例に挙げて具体的に説明すると、封印部としての蓋部を貼り付ける部位に照合用シートを取り付けておことにより、封印部の裏面側に照合用シートが重なるので、この場合も封印部の表面に記入した識別情報が照合用シートに複写される。【００２４】
また、封印部の裏面側に、封止用の粘着層と、封印部を封止するまで粘着層を覆う剥離紙とを重ね、この剥離紙を照合用シートと兼用する。そうすれば、封印部に識別情報を記入して収容部に被包装物を収容した後、剥離紙としての照合用シートを剥がすだけで、封印部を簡単に封止すると共に、識別情報が複写された照合用シートを得ることができる。【００２５】
封印部の裏面側に、管理用伝票を重ねることにより、封印部に記入する識別情報を照合用シートと共に管理用伝票にも複写するようにしてもよい。【００２６】
上記の包装材は、新規に製造することもできるが、既存の包装材にカーボン紙などの複写手段や、透視可能な照合用シートを付加して使用することもできる。後付けする照合用シートは、封印部の裏面側に取り付ければよい。また、管理用伝票に照合用シートを予め重ねておくこともできる。
【発明の効果】
【００２７】
以上の説明から明らかな通り、本発明によると、包装材に記入した識別情報と照合用シートに複写した識別情報とを照合するので、包装材が差し替えられておらず、被包装物を包装する包装材の封印部が封止されたままであることを確認することができる。これにより、被運送物が送り主の手を離れてから届け先に届くまでの間、あるいは、被保管物を保管していた間、包装材や収納材が未開封であったことを確認することができるので、機密書類や貴重品などを送るときに運送便を安心して利用したり、機密書類や貴重品などを保管したりすることができる。
【図面の簡単な説明】
【００２８】
【図１】本発明に係る包装材及び伝票の斜視図
【図２】封印部を封止した包装材及び伝票の斜視図
【図３】本発明に係る運送方法の手順を説明する図
【図４】本発明に係る包装材の別の形態を示す斜視図
【図５】本発明に係る包装材のさらに別の形態を示す斜視図
【符号の説明】
【００２９】
１、２０  包装材
２        被運送物
３        収容部
４        出入口
５、１８  封印部
６        サイン
７        照合用シート
８        伝票
８ａ      送り主控え票
８ｂ      届け先控え票
８ｃ      運送管理票
９、１９  粘着層
１５      コード番号
【発明を実施するための最良の形態】
【００３０】
以下、本発明に係る包装方法及び包装材の実施の形態について、図面を用いて説明する。【００３１】
まず、包装材について説明する。図１は本発明に係る包装材及び伝票の斜視図、図２は封印部を封止した包装材及び伝票の斜視図である。【００３２】
包装材１は、被運送物２を包装したまま未開封であることを確認するものであり、被運送物２を収容する収容部３と、収容部３に被運送物２を出し入れする出入口４と、出入口４を覆うように折り返される蓋部としての封印部５とを備えた封筒状とされて、その封印部５の裏面に、封印部５に記入したサイン（送り主付与情報）６が筆圧によって複写される照合用シート７が剥ぎ取り自在に付設され、封印部５に記入したサイン６と照合用シート７に複写されたサイン６との照合により、被運送物２を包装する包装材１が別の包装材１に差し替えられていないことを確認するようになっている。【００３３】
この包装材１は、封印部５の裏面側に運送を確認及び管理するための伝票８を重ねて、封印部５の表面にサイン６を記入するようになっており、封印部５に記入されたサイン６が筆圧によって照合用シート７と共に伝票８にも複写される。【００３４】
収容部３は、重ね合わせた二枚の長方形のシートをその三辺で連続させた形状とされ、二枚のシートの四辺のうち、連続することなく開口したままの残りの一辺が出入口４とされ、この出入口４から二枚のシート間に被運送物２が出し入れされる。【００３５】
封印部５は、出入口４の周縁から外方に突出する突片とされ、収容部３を構成する二枚のシートのうちの一方に連続して形成されて、出入口４を覆うように内方に折り返されている。この封印部５は、表面にサイン６を記入可能とされると共に、裏面に粘着層９が付設され、収容部３に被運送物２を収容した後、粘着層９を介して封印部５を出入口４の周縁部に貼着することにより、出入口４を封印するようになっている。封止された封印部５は、その形状を保ったまま開封することができず、包装材１から被運送物２を取り出す際に、表面のサイン６が確実に破壊される。【００３６】
照合用シート７は、透光性材料により透視可能に形成され、封印部５に重ねることにより、封印部５に記入したサイン６と照合用シート７に複写されたサイン６とを照合可能とされている。この照合用シート７は、剥離性のあるシートとされて、封印部５の裏面の粘着層９に重ねて付設され、封印部５に記入したサイン６を照合する機能に加えて、封印部５を封止するまで粘着層９を覆う剥離紙としても兼用される。【００３７】
照合用シート７の裏面には、筆圧によってサイン６を複写するための両面式のカーボン紙１０が付設され、このカーボン紙１０の表面側の照合用シート７及び裏面側の伝票８に、封印部５に記入したサイン６を複写するようになっている。さらに、カーボン紙１０の裏面側には、剥離紙１１が重ねられ、これを剥ぎ取って封印部５にサイン６を記入するまでカーボン紙１０を保護している。【００３８】
カーボン紙１０は、剥離紙１１よりもわずかに幅狭に形成され、剥離紙１１の縁部がカーボン紙１０よりも突出している。カーボン紙１０及び剥離紙１１は、その縁部を幅狭の粘着層１２を介して照合用シート７の縁部裏面に止着され、剥離紙１１を剥がすことにより、幅狭の粘着層１２の裏面半分が露出するようになっている。剥離紙１１を剥がしてカーボン紙１０の裏面側に伝票８を重ねることにより、伝票８に幅狭の粘着層１２を介して照合用シート７が取り付くようになっている。【００３９】
伝票８は、送り主控え票８ａ、届け先控え票８ｂ及び運送管理票８ｃを重ねてなる複写式とされ、その一端の糊付け部１３を糊付けされると共に、ミシン目１４に沿って各紙票８ａ、８ｂ、８ｃを切り取り可能とされている。各紙票８ａ、８ｂ、８ｃには、共通するコード番号（伝票固有情報）１５が印刷され、このコード番号１５によって個々の伝票８を識別可能とされる。なお、運送管理票８ｃは、物流データ管理用、荷物管理用、受領用などの複数枚の紙票である。【００４０】
伝票８の各紙票８ａ、８ｂ、８ｃには、封印部５に記入したサイン６を複写するサイン欄１６が設けられている。幅狭の粘着層１２から剥離紙１１を剥がして、カーボン紙１０の裏面側に伝票８を重ねて封印部５にサイン６を記入することにより、そのサイン６が照合用シート７及び伝票８の各紙票８ａ、８ｂ、８ｃのサイン欄１６に複写される。また、各紙票８ａ、８ｂ、８ｃには、届け先の住所などの必要事項を記入する記入欄１７が設けられ、一枚目の送り主控え票８ａに必要事項を記入して、その記入内容を他の紙票８ｂ、８ｃに複写するようになっている。【００４１】
次に、上記の包装材１を用いて被運送物２を包装して搬送すると共に、包装材１が未開封であったことを確認する運送方法を説明する。図３は本発明に係る運送方法の手順を説明する図である。図３において、包装材１及び伝票８の状態を示す（ａ）、（ｂ）、（ｃ）及び（ｅ）のそれぞれについて、（ａ−１）、（ｂ−１）、（ｃ−１）及び（ｅ−１）は斜視図を示し、（ａ−２）、（ｂ−２）、（ｃ−２）及び（ｅ−２）は断面図を示す。【００４２】
まず、（ａ）に示すように、送り主から被運送物２を引き受ける際、包装材１及び伝票８を準備する。【００４３】
（ｂ）に示すように、封印部５の裏面から剥離紙１１を剥がし、伝票８の糊付け部１３を封印部５の裏面の幅狭の粘着層１２に合わせるようにして、封印部５の裏面側に伝票８を重ねる。このとき、封印部５のサイン記入部が伝票８のサイン欄１６に重なり、伝票８に照合用シート７及びカーボン紙１０が取り付く。送り主に、封印部５の表面にサイン６を記入してもらう。その際の筆圧により、サイン６がカーボン紙１０の表側の照合用シート７と、カーボン紙１０の裏側の送り主控え票８ａのサイン欄１６とに複写され、さらに、サイン６が伝票８の他の紙票８ｂ、８ｃのサイン欄１６にも複写される。【００４４】
（ｃ）に示すように、封印部５の裏面側から伝票８を取り出すことにより、粘着層９から照合用シート７を剥がし、収容部３に被運送物２を収容した後、封印部５を封止して出入口４を封印する。伝票８に照合用シート７と共に取り付いたカーボン紙１０を剥ぎ取り、送り主控え票８ａの記入欄１７に届け先住所などの必要事項を記入してもらうことにより、その記入内容が伝票８の他の紙票８ｂ、８ｃに複写される。伝票８から送り主控え票８ａを切り取って送り主に渡す。なお、これらの作業は、送り主に依頼することもできる。【００４５】
（ｄ）に示すように、包装材１で包装した被運送物２と伝票８とを届け先に搬送する。この間に、送り主が電話などを利用して、伝票８のコード番号１５を届け先に伝えたり、送り主控え票８ａを届け先に別送したりすることもできる。【００４６】
（ｅ）に示すように、届け先で、包装材１の封印部５に記入されたサイン６の照合と、封印部５など包装材１が破壊されていないことの確認を依頼する。封印部５に記入されたサイン６の照合は、伝票８に複写されたサイン６と照合用シート７に複写されたサイン６とを照合して、照合用シート７が差し替えられていないことを確認した上で、封印部５に記入されたサイン６と照合用シート７に複写されたサイン６とを照合するようにする。ここで、サイン６の照合は、透光性の照合用シート７を他方のサイン６に重ねて照合する。【００４７】
（ｆ）に示すように、封印部５又は照合用シート７のサイン６が偽造されたとき、それらのサイン６が互いにずれるので、サイン６の偽造を容易に見破ることができる。照合したサイン６が一致することを確認した後、送り主がサイン６を記入した包装材１で被運送物２が包装されたままであり、送り主からの引受時から届け先への引渡時までの間、包装材１が未開封であったことを保証して、届け先に被運送物２を引き渡す。【００４８】
なお、伝票８のコード番号１５が伝えられている場合には、伝えられたコード番号１５と届けられた伝票８のコード番号１５とが一致することを確認して、伝票８が差し替えられていないことを確認し、包装材１が未開封であったことをより確実に確認する。また、送り主控え票８ａが別送されている場合には、送り主控え票８ａに複写されたサイン６と照合用シート７に複写されたサイン６を照合して、伝票８が差し替えられていないことを確認し、包装材１が未開封であったことをより確実に確認する。【００４９】
なお、本発明は、上記の実施の形態に限定されるものではなく、本発明の範囲内において、適宜変更を加えることができる。例えば、突片を折り返した構造の蓋部としての封印部５に代えて、図４に示すように、出入口４の周縁部に、粘着層９、照合用シート７、幅狭の粘着層１２、カーボン紙１０及び剥離紙１１を重ねて付設することにより、出入口４の周縁部自体を封印部１８としてもよい。また、封筒状の包装材１に代えて、図５に示すように、二つ折りにした一枚のシートの三片を粘着層１９を介して封止することによって被運送物２を包装する包装材２０を採用することもできる。【００５０】
包装材１は、被運送物２を運送する運送方法に用いるだけでなく、機密書類や貴重品を収納して保管する収納材として用いることができ、さらにそれ以外にも、未開封であることの確認が求められるあらゆる包装材として用いることができる。なお、いずれの用途においても、封印部５、１８に記入するサイン６を照合用シート７に複写しておき、包装材（収納材）１に被包装物や被保管物を収容して封印した後、所望の時期に封印部５、１８に照合用シート７を重ねてサイン６を照合するという点で、包装材１の使用方法は、上記の運送方法と同じである。【００５１】
照合用シート７、粘着層９及びカーボン紙１０は、サイン６を記入する際に封印部５の裏面側に重なればよく、封印部５の裏面に、粘着層９及びカーボン紙１０を付設する代わりに、封止する際に封印部５を貼着する部位に、粘着層９及びカーボン紙１０を付設してもよい。この場合、カーボン紙１０を片面式のものとして、封印部５を貼着する部位に、粘着層９、照合用シート７及びカーボン紙１０をこの順に付設すればよい。【００５２】
カーボン紙１０を片面式のものとして、伝票８へのサイン６の複写を省略してもよい。封印部５にサイン６を記入するまで、照合用シート７とカーボン紙１０との間に保護シートを介在させて、照合用シート７の汚れを防ぐこともできる。カーボン紙１０の代わりに、顕色剤と染料を収容したマイクロカプセルとの組合せによるノンカーボンタイプの複写手段を採用してもよい。封印部５に記入したサイン６や照合用シート７に複写されたサイン６を透明フィルムで覆うことにより、これらのサイン６を保護するようにしてもよい。【００５３】
包装材１は、新規に製造するものに限らず、既存の包装材を利用することもできる。具体的には、既存の包装材の粘着層９が透視可能かつサイン６を複写可能な剥離紙で覆われている場合、この剥離紙を照合用シート７として、これにカーボン紙１０を重ねるよう付加すればよい。特に、既存の包装材が封印部５の裏面に粘着層９を有する場合、付加するカーボン紙１０を両面式にしておくことにより、伝票８にもサイン６を複写することができる。【００５４】
既存の包装材が封印部５の裏面に粘着層９を有すると共に、その粘着層９が透視不能あるいはサイン６を複写不能な剥離紙で覆われている場合、その剥離紙に、カーボン紙１０及び透視可能な照合用シート７をこの順に重ねるよう付加すればよい。あるいは、剥離紙に、照合用シート７及びカーボン紙１０の順に重ねるよう付加することもできる。この場合、付加するカーボン紙１０を両面式とすることにより、その裏面側に重ねた伝票８にもサイン６を複写することができる。【００５５】
既存の包装材が封印部５を貼着する部位に粘着層９を有すると共に、その粘着層９が透視不能あるいはサイン６を複写不能な剥離紙で覆われている場合、その剥離紙の表面に透視可能な照合用シート７を重ねるよう付加し、さらに、この照合用シート７の表面にカーボン紙１０を重ねるよう付加すればよい。【００５６】
また、既存の包装材が封印部５の裏面あるいは封印部５を貼着する部位のいずれに粘着層９を有する場合であっても、予め伝票８の表面に両面式のカーボン紙１０を重ねると共に、カーボン紙１０の表面に照合用シート７を重ねておき、この伝票８を封印部５の裏面側に重ねることにより、照合用シート７及び伝票８にサイン６を複写することができる。【００５７】
サイン６は、封印部５に記入するだけでなく、包装材１の他の部位に記入することもできる。この場合、別に用意した照合用シート７にサイン６を複写すればよい。また、照合用シート７を伝票８に付けて、包装材１で包装した被運送物２と一緒に届ける代わりに、照合用シート７と被運送物２とを別々にして届け先に届けるようにし、照合用シート７の偽造を防止するようにしてもよい。【００５８】
また、封印部５の表面に、透明シールの貼付によって光沢感の相違を失う光沢部及び非光沢部を混在させることもできる。これにより、封印部５をカッターなどで切断して開封した後、その切断部に透明シールを貼付することによって封印部５の切断部を目立たないようにしようとしても、透明シールで覆った光沢部及び非光沢部の光沢感の相違が失われるので、透明シールの貼付を一見して見破ることができる。
【産業上の利用可能性】
【００５９】
本発明に係る包装方法、運送方法、保管方法及び包装材は、運送用の包装材や保管用の収納材などで被包装物を包装したまま未開封であることを確認することができるので、特に機密書類や貴重品などの運送や保管に好適に採用することができる。
【図１】
2007099682.tif 000003
【図２】
2007099682.tif 000004
【図３】
2007099682.tif 000005
【図４】
2007099682.tif 000006
【図５】
2007099682.tif 000007
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
包装材で被包装物を包装したまま未開封であったことを確認する包装方法であって、
包装材に再現性のないよう手書きで識別情報を記入すると共に、その際の筆圧により、透光性材料により透視可能に形成した照合用シートに前記識別情報を複写し、次いで、被包装物を前記包装材で包装して該包装材の封印部を封止し、その後、照合用シートを包装材に重ねて、該包装材に記入した識別情報と照合用シートに複写した識別情報とを照合することにより、識別情報を記入した包装材で被包装物を包装したままであることを確認することを特徴とする包装方法。
【請求項２】
送り主から預かった被運送物を届け先に届けると共に、送り主からの引受時から届け先への引渡時までの間、被運送物を包装する包装材が未開封であったことを確認する運送方法であって、
送り主から被運送物を引き受ける際、透光性材料により透視可能に形成した照合用シートに、送り主によって包装材に再現性のないよう手書きで記入される送り主付与情報をその記入の際の筆圧により複写し、次いで、被運送物を包装材で包装して該包装材の封印部を封止して届け先に搬送し、届け先に被運送物を引き渡す際、照合用シートを包装材に重ねて、該包装材に記入された送り主付与情報と照合用シートに複写された送り主付与情報とを照合することにより、送り主によって送り主付与情報を記入された包装材で被運送物が包装されたままであることを確認することを特徴とする運送方法。
【請求項３】
送り主控え票、届け先控え票及び運送管理票を筆圧により複写可能に重ねてなる伝票に、包装材及び照合用シートを重ねて、包装材に手書きで記入される送り主付与情報を照合用シートと共に伝票にも複写しておき、照合用シートに複写された送り主付与情報と伝票に複写された送り主付与情報との照合により、照合用シートが差し替えられていないことを確認することを特徴とする請求項２に記載の運送方法。
【請求項４】
伝票に付設された伝票固有情報により、伝票が差し替えられていないことを確認することを特徴とする請求項３に記載の運送方法。
【請求項５】
包装材で包装した被運送物と照合用シートとを別々にして届け先に届けることを特徴とする請求項２、３又は４に記載の運送方法。
【請求項６】
被保管物を収納材に収納して保管する間、前記収納材が未開封であったことを確認する保管方法であって、
収納材に再現性のないよう手書きで識別情報を記入すると共に、その際の筆圧により、透光性材料により透視可能に形成した照合用シートに前記識別情報を複写し、次いで、被保管物を前記収納材に収納して該収納材の封印部を封止して保管し、その後、照合用シートを収納材に重ねて、該収納材に記入した識別情報と照合用シートに複写した識別情報とを照合することにより、識別情報を記入した収納材に被保管物を収納したままであることを確認することを特徴とする保管方法。
【請求項７】
被包装物を収容する収容部と、該収容部に被包装物を出し入れする出入口と、被包装物を収容した後に前記出入口を封印するよう前記収容部と一体に形成された封印部とを備え、前記被包装物を包装したまま未開封であることを確認する包装材であって、
前記封印部に再現性のないよう手書きで識別情報を記入可能とされ、封印部の裏面側に照合用シートが重ねられ、前記封印部の表面に記入された識別情報をその記入の際の筆圧により照合用シートに複写可能とされ、
前記照合用シートは、透光性材料により透視可能に形成され、封印部に重ねることによって識別情報を照合可能とされたことを特徴とする包装材。
【請求項８】
封印部の裏面側に、封止用の粘着層と、封印部を封止するまで粘着層を覆う剥離紙とが重ねられ、該剥離紙が、前記照合用シートと兼用されることを特徴とする請求項７に記載の包装材。
【請求項９】
封印部の裏面側に、管理用伝票を重ねることにより、封印部に記入される識別情報が照合用シートと共に前記管理用伝票にも複写されることを特徴とする請求項７又は８に記載の包装材。
【請求項１０】
前記照合用シートは、封印部の裏面側に後付けされたことを特徴とする請求項７に記載の包装材。
【請求項１１】
前記管理用伝票に照合用シートが予め重ねられたことを特徴とする請求項９に記載の包装材。
【国際調査報告】
2007099682.tif 000008
2007099682.tif 000009